(57)【要約】      （修正有）【課題】個室空間の使用者をリラックス状態にするために必要とする期間を短くすることが可能なトイレ空間の環境制御システムを提供する。【解決手段】環境制御システム１００は、個室空間内の照度または色温度を変更可能な照明装置２００と、個室空間内に映像を出力する映像出力装置３００とを制御することによって、照明リラックス制御と映像リラックス制御とを実行する期間の少なくとも一部を重複させる複合リラックス制御、または照明覚醒制御と映像覚醒制御とを実行する期間の少なくとも一部を重複させる複合覚醒制御を実行する制御装置４００を有する。【選択図】図１
2020049145.tif 000002
【特許請求の範囲】
【請求項１】
オフィスが設けられた建物または公共の施設に設置されるトイレ空間の環境制御システムであって、
前記トイレ空間は、
大便器を備える個室空間と、
前記個室空間内に設置され、前記個室空間内の照度または色温度を変更可能な照明装置と、
前記個室空間内に映像を出力する映像出力装置と、
前記照明装置および前記映像出力装置を制御する制御装置と、を備え、
前記制御装置は、
前記照明装置の照度または色温度を変更することで、前記個室空間内の照度または色温度を低下させる照明リラックス制御と、
前記照明装置の照度または色温度を変更することで、前記個室空間内の照度または色温度を上昇させる照明覚醒制御と、
前記映像出力装置により第１の映像を出力する映像リラックス制御と、
前記映像出力装置により前記第１の映像とは異なる第２の映像を出力する映像覚醒制御と、を有し、
さらに前記制御装置は、前記照明リラックス制御と前記映像リラックス制御とを実行する期間の少なくとも一部を重複させる複合リラックス制御、または前記照明覚醒制御と前記映像覚醒制御とを実行する期間の少なくとも一部を重複させる複合覚醒制御を有することを特徴とするトイレ空間の環境制御システム。
【請求項２】
前記制御装置は、前記照明リラックス制御または前記照明覚醒制御によって変更された前記照明装置の照度または色温度が一定となっている期間の少なくとも一部と重複するように、前記複合リラックス制御または前記複合覚醒制御を実行することを特徴とする請求項１に記載のトイレ空間の環境制御システム。
【請求項３】
前記制御装置は、前記複合リラックス制御と前記複合覚醒制御とを連続して実行する場合、前記複合覚醒制御の実行期間の長さが前記複合リラックス制御の実行期間以下の長さとなるように制御することを特徴とする請求項１または２に記載のトイレ空間の環境制御システム。
【請求項４】
前記制御装置は、前記照明装置の照度を低下させる前記照明リラックス制御の実行期間中に、前記映像覚醒制御を実行しないことを特徴とする請求項１乃至３のいずれか一項に記載のトイレ空間の環境制御システム。
【請求項５】
前記トイレ空間は、前記トイレ空間内の混雑状況を検知する混雑検知装置を備え、
前記制御装置は、前記混雑検知装置の検知結果に基づいて、該制御装置が実行する制御の実行期間を短縮することを特徴とする請求項１乃至４のいずれか一項に記載のトイレ空間の環境制御システム。
【請求項６】
前記個室空間の内部または外部に設けられ、前記照明リラックス制御、前記照明覚醒制御、前記映像リラックス制御、または前記映像覚醒制御の少なくとも一つの制御の実行状態を前記トイレ空間の利用者に報知する報知装置を有することを特徴とする請求項１乃至５のいずれか一項に記載のトイレ空間の環境制御システム。
【発明の詳細な説明】
【技術分野】
【０００１】
本発明は、トイレ空間の環境制御システムに関する。
【背景技術】
【０００２】
近年、働きやすさの追求のため、在宅勤務をはじめとしたリモートワークを推進する動きが活発化している。その一方で、リモートワークが常になることによって面と向かってのコミュニケーションを取る機会が減り、その結果、生産性が低下することが危惧されている。そのため、現在は、働きやすさを追求すると共に、生産性が低下することがないように、これまで以上にオフィスでの生産性の向上が求められている。
【０００３】
ところで、オフィスでの生産性を向上させるためには、生体が活性化しており作業を集中して行うことが可能な覚醒状態と、生体が鎮静化しており疲労感を回復することが可能なリラックス状態との切り替えを適切に行うことが有効であることが知られている。そのため、従来から執務室の照明は、生体を活性化させる効果のある高照度の照明を使用し、休憩室の照明は、生体を鎮静化させる効果のある低照度の照明を使用することが、２０１０年のJIS照度基準では推奨されていた。
【０００４】
一方で、生体の鎮静化と活性化による作業性の向上はオフィスに限らず、例えば高速道路のサービスエリア等の公共施設においても必要性は高い。例えばサービスエリアにおいて自動車の運転者には休息が必要であるが、運転の再開の際には集中力が求められる。
【０００５】
これらに対して、一度リラックス状態になってしまうと、再び作業を集中して行うことが可能な覚醒状態になるまでに期間を必要とするため、休憩直後は集中して作業を行うことができず生産性が低下してしまうという課題が知られている。
この課題に対して、特許文献１には、生体を鎮静化させる刺激を与えた直後に生体を活性化させる刺激を与えることで、一度リラックス状態になった人を再び集中して作業を行うことが可能な覚醒状態にするまでに必要とする期間を短縮することが記載されている。
【先行技術文献】
【特許文献】
【０００６】
【特許文献１】特開平２−２１３５６８号公報
【非特許文献】
【０００７】
【非特許文献１】萩原啓、荒木和典、道盛章弘、“短期間リフレッシュ法とその生理的評価”、[online]、平成３年６月１日発行、人間工学第２７巻特別号、[平成３０年８月２８日検索]、インターネット＜URL：https://www.jstage.jst.go.jp/article/jje１９６５/２７/Supplement/２７_Supplement_２0６/_article＞
【発明の概要】
【発明が解決しようとする課題】
【０００８】
しかし、特許文献１に記載されたような、使用者の緊張をほぐすように導くリラックス誘導装置と、使用者に意識の水準を高めるような適度の刺激を与えるリフレッシュ刺激装置とを備えた特別な個室空間を導入することは、空間の制約や費用の面で実現性に乏しかった。そこで本発明者らは、元々個室空間を備えているトイレ空間を利用し、特許文献１に記載の制御を行うことで空間や費用の面での導入のハードルを下げることを思い付いた。
【０００９】
しかしながら、特許文献１と同じ開発者によって同時期に発表された非特許文献１によると、一度リラックス状態になった人を再び集中して作業を行うことが可能な覚醒状態にするまでには、特許文献１に記載された制御によって短縮されてもなお１０〜２０分を必要としていた。そのため、特許文献１に記載された制御をそのままトイレ空間に適用すると、一人当たりのトイレ空間の占有期間が長くなり過ぎることにより、トイレ空間本来の使用目的である排泄を行いたい人によるトイレ空間の使用に支障をきたすという新たな課題が生じた。
【００１０】
本発明は、このような課題を解決するものであり、トイレ空間本来の使用目的である排泄を行いたい人によるトイレ空間の使用に対して支障をきたすことがないように、トイレ空間を使用する使用者をリラックス状態へと導くために必要とする期間、又は覚醒状態へと導くために必要とする期間を短縮することが可能なトイレ空間の環境制御システムを提供することを目的とする。
【課題を解決するための手段】
【００１１】
上記の課題を解決するために、第１の発明の態様に係るトイレ空間の環境制御システムは、オフィスが設けられた建物、または公共の施設に設置されるトイレ空間の環境制御システムであって、トイレ空間は、大便器を備える個室空間と、個室空間内に設置され、個室空間内の照度または色温度を変更可能な照明装置と、個室空間内に映像を出力する映像出力装置と、照明装置および映像出力装置を制御する制御装置と、を備え、制御装置は、照明装置の照度または色温度を変更することで、個室空間内の照度または色温度を低下させる照明リラックス制御と、照明装置の照度または色温度を変更することで、個室空間内の照度または色温度を上昇させる照明覚醒制御と、映像出力装置により第１の映像を出力する映像リラックス制御と、映像出力装置により第１の映像とは異なる第２の映像を出力する映像覚醒制御と、を有し、さらに、制御装置は、照明リラックス制御と映像リラックス制御とを実行する期間の少なくとも一部を重複させる複合リラックス制御、または照明覚醒制御と映像覚醒制御とを実行する期間の少なくとも一部を重複させる複合覚醒制御を有する。
【００１２】
特許文献１において、一度リラックス状態になった人を再び集中して作業を行うことが可能な覚醒状態にするまでに１０〜２０分という長い期間を必要としていた。その理由の一つに、リラックス制御時または覚醒制御時において、複数の異なる視覚刺激が連動するような制御がなされておらず、視覚刺激同士による相乗効果が得られていなかったことが挙げられる。
【００１３】
例えば、使用者の生体を鎮静化させる効果がある低い照度で照明装置を点灯する照明リラックス制御を実行しているにも関わらず、生体を活性化させる効果がある寒色系の色温度を有する海の映像を出力する映像覚醒制御を実行してしまうと、複数の異なる視覚刺激が互いに相反する効果を生体に与えるため相乗効果を得ることができない。一方で、照明リラックス制御時に、海の映像よりも色温度が低く、人に安らぎや平穏といった精神生理的反応を引き起こすことで生体を鎮静化させる効果がある森の映像を出力する映像リラックス制御を実行すると、複数の異なる視覚刺激が互いに連動するため相乗効果を得ることができる。
【００１４】
本発明の第１の態様によれば、複数の異なる視覚刺激が互いに連動するため相乗効果を得ることが可能な複合リラックス制御または複合覚醒制御を有する。これによって、個室空間内の使用者をリラックス状態に導くために必要とする期間、又は覚醒状態に導くために必要とする期間を短縮することが可能なトイレ空間の環境制御システムを提供することができる。
【００１５】
第２の発明の態様に係るトイレ空間の環境制御システムは、第１の発明において、制御装置は、照明リラックス制御または照明覚醒制御によって変更された照明装置の照度または色温度が一定となっている期間の少なくとも一部と重複するように、複合リラックス制御または複合覚醒制御を実行する。
【００１６】
照明装置と映像出力装置による複数の異なる視覚刺激を連動させ相乗効果を得るためには、照明装置による視覚刺激が一定に保たれているときに、映像出力装置による視覚刺激を連動させることが好ましい。例えば、制御装置によって照明リラックス制御が実行された直後は、照明装置の照度または色温度が変更している期間中であるため、照明装置による視覚刺激は一定に保たれていない。このとき、使用者は個室空間内の照度または色温度が変更されていることに気を取られてしまうので、たとえ複合リラックス制御を実行したとしても所望の相乗効果を得ることができないおそれがある。
【００１７】
本発明の第２の態様によれば、照明装置の照度または色温度が一定に保たれている期間の少なくとも一部と重複するように複合リラックス制御または複合覚醒制御を実行するため、使用者が個室空間内の照度または色温度の変化に気を取られてしまうことがない。このため、複数の異なる視覚刺激が互いに連動することによる相乗効果を確実に得ることができるようになる。これによって、個室空間内の使用者をリラックス状態に導くために必要とする期間、又は覚醒状態に導くために必要とする期間をより短縮することが可能なトイレ空間の環境制御システムを提供することができる。
【００１８】
第３の発明の態様に係るトイレ空間の環境制御システムは、第１または第２の発明において、制御装置は、複合リラックス制御と複合覚醒制御とを連続して実行する場合、複合覚醒制御の実行期間の長さが複合リラックス制御の実行期間以下の長さとなるように制御する。
【００１９】
生体を活性化させる効果のある照明覚醒制御および映像覚醒制御は、使用者に対する視覚刺激を大きくする制御であるため、照明装置および映像出力装置による視覚刺激の変化に対する反応として生体の状態は急峻に活性化する。一方で、生体を鎮静化させる効果のある照明リラックス制御および映像リラックス制御は、使用者に対する視覚刺激を小さくする制御であるため、照明装置および映像出力装置による視覚刺激の変化に対する反応として生体の状態は緩慢に鎮静化する。従って、生体を鎮静化させるために必要とする期間は、生体を活性化させるために必要とする期間よりも長くかかる傾向にある。
【００２０】
本発明の第３の態様によれば、生体を活性化させるための期間よりも比較的長い期間を必要とする生体を鎮静化させるための期間において、照明と映像による複数の異なる視覚刺激を連動させる複合リラックス制御を集中的に実行している。つまり、制御装置は、複合リラックス制御の実行期間≧複合覚醒制御の実行期間となるように制御している。これによって、個室空間内の使用者をリラックス状態に導くために必要とする期間において、生体を鎮静化させるための相乗効果を集中的に得ることが可能となり、生体を鎮静化するために必要となる期間を短縮することが可能なトイレ空間の環境制御システムを提供することができる。
【００２１】
第４の発明の態様に係るトイレ空間の環境制御システムは、第１乃至第３のいずれか一つの発明において、制御装置は、照明装置の照度を低下させる照明リラックス制御の実行期間中に、映像覚醒制御を実行しない。
【００２２】
本発明の第４の態様によれば、照明装置の照度を低下させる照明リラックス制御によって暗くなった個室空間において、映像リラックス制御に比べて強い視覚刺激を与える映像覚醒制御を実行することによって、個室空間内で生じる照度差による強過ぎる視覚刺激を使用者に与えてしまうおそれを防止できる。これによって、使用者に不快感を与えることなく、個室空間内の使用者をリラックス状態に導くために必要とする期間、又は覚醒状態に導くために必要とする期間を短縮することが可能なトイレ空間の環境制御システムを提供することができる。
【００２３】
第５の発明の態様に係るトイレ空間の環境制御システムは、第１乃至第４のいずれか一つの発明において、トイレ空間は、トイレ空間内の混雑状況を検知する混雑検知装置を備え、制御装置は、混雑検知装置の検知結果に基づいて、制御装置が実行する制御の実行期間を短縮する。
【００２４】
本発明の第５の態様によれば、混雑検知装置によってトイレ空間内が混んでいることが検知された場合、制御装置は、使用者をリラックス状態または覚醒状態に導くための各制御の実行期間を短縮したり、各制御を実行することを禁止（＝制御の実行期間をゼロに短縮）したりできるようになる。これによって、トイレ空間本来の使用目的である排泄を行いたい使用者による個室空間の利用に支障をきたすことを防止できるトイレ空間の環境制御システムを提供することができる。
【００２５】
第６の発明の態様に係るトイレ空間の環境制御システムは、第１乃至第５のいずれか一つの発明において、個室空間の内部または外部に設けられ、照明リラックス制御、照明覚醒制御、映像リラックス制御、又は映像覚醒制御の少なくとも一つの制御の実行状態をトイレ空間の利用者に報知する報知装置を有する。
【００２６】
本発明の第６の態様によれば、個室空間内の使用者に対してリラックス状態または覚醒状態に導くための各制御を実行している場合、個室空間の内部の使用者に対して、当該制御終了までの残り時間を報知することができる。または、個室空間の外部で個室空間の使用を待つ使用者に対して、個室空間内の使用者が当該制御を実行中であることや、当該制御終了までの残り時間を報知することができる。これにより、待ち時間の短縮や、他の個室への誘導ができ、本来の使用目的である排泄を行いたい使用者への支障を取り除くことができる。
【発明の効果】
【００２７】
本発明によれば、トイレ空間本来の使用目的である排泄を行いたい使用者による個室空間の利用に支障をきたすことがないように、個室空間の使用者をリラックス状態にするために必要とする期間、又は覚醒状態にするために必要とする期間を短くすることが可能なトイレ空間の環境制御システムを提供することができる。
【図面の簡単な説明】
【００２８】
【図１】本発明の実施形態に係るトイレ空間の環境制御システムをブロック図で模式的に示した図である。
【図２】本発明の実施形態に係るトイレ空間の環境制御システムにおいて、制御装置が実行する制御の概念図を模式的に示した図である。
【図３】本発明の実施形態に係るトイレ空間の環境制御システムにおいて、制御装置が実行する制御の一例を示すフローチャートである。
【図４】本発明の実施形態に係るトイレ空間の環境制御システムにおいて、制御装置が実行するリラックス制御の一例を示すフローチャートである。
【図５】本発明の実施形態に係るトイレ空間の環境制御システムにおいて、制御装置が実行する覚醒制御の一例を示すフローチャートである。
【図６】本発明の実施形態に係るトイレ空間の環境制御システムにおいて、制御装置が実行するリラックス制御の一例を示すタイムチャートである。
【図７】本発明の実施形態に係るトイレ空間の環境制御システムにおいて、制御装置が実行する覚醒制御の一例を示すタイムチャートである。
【図８】本発明の実施形態に係るトイレ空間の環境制御システムにおいて、制御装置が実行するリフレッシュ制御の一例を示すタイムチャートである。
【図９】本発明に係るトイレ空間の環境制御システムの実証試験において、制御装置が実行する各制御に対する被験者の生理測定の結果を示した図である。
【発明を実施するための形態】
【００２９】
以下で説明する実施形態は、いずれも本開示の一実施形態を示すものである。以下の実施形態で示される構成要素、構成要素の配置位置及び接続形態、ステップ、ステップの順序などはあくまで一例であり、本発明を限定するものではない。また、以下の実施形態における構成要素のうち、本開示の最上位概念を示す独立請求項に記載されていない構成要素については、任意の構成要素として説明される。また、図面において同じ符号が付いたものは、説明を省略する場合がある。
【００３０】
図１は、本発明の実施形態に係るトイレ空間の環境制御システムをブロック図で模式的に示した図である。
図１に示すように、トイレ空間の環境制御システム１００は、照明装置２００と、映像出力装置３００と、制御装置４００とを有する。さらに、混雑検知装置５００と、報知装置６００を有することが好ましい。
【００３１】
照明装置２００は、トイレ空間内において大便器が備えられた個室空間に設置され、個室空間内の照度または色温度を変更可能な照明である。このために、照明装置２００は、例えば、異なる照度または色温度に調光可能な単一のLEDや、異なる照度または色温度を有する複数のLEDなどの照明機器などを備える。また、照明装置２００は、個室空間の上方側に設けられる電球形状の照明機器に限られず、個室空間の壁面に設けられるパネル形状の照明機器であってもよい。なお、照明装置２００は、個室空間内への単数の配置であってもよいが、複数設置することにより視覚的効果を得ることができる。
【００３２】
映像出力装置３００は、トイレ空間内において大便器が備えられた個室空間内に静止画または動画による映像を出力する装置である。このために、映像出力装置３００は、例えば、個室空間内の壁面に取り付けられるLCD（液晶ディスプレイ）やOLED（有機ELディスプレイ）等の表示装置や、個室空間内に映像を投影するプロジェクタなどを備える。表示装置の表示面のサイズやプロジェクタにより投影する映像のサイズに制限はないが、使用者の視野全体に広がる大きなサイズとするとより視覚的効果を得ることができる。なお、映像出力装置３００は出力する映像に関連する音を映像と共に出力してもよい。
【００３３】
制御装置４００は、照明装置２００の照度または色温度、及び映像出力装置３００が出力する静止画または動画による映像の出力を制御する装置である。制御装置４００は、自動操作または手動操作に基づいて制御指示を照明装置２００及び映像出力装置３００に送信する。このために、制御装置４００は、例えば、自動操作のために予め制御指示が記憶されたメモリや、使用者による手動操作のための入力ボタン、そして制御指示を照明装置２００及び映像出力装置３００に制御指示を送信するための送信部などを備える。
【００３４】
混雑検知装置５００は、トイレ空間内の混雑状況を検知する装置である。混雑検知装置５００は、個室空間外である洗面台などが設けられた共有空間における使用者の有無や、他の個室空間内における使用者の有無などを検知したりする。混雑検知装置５００によって検知された混雑状況に関する情報を利用することで、制御装置４００によって実行される各制御にかかる期間をトイレ空間の混雑状況に応じて短縮することができる。
【００３５】
例えば、混雑検知装置５００によってトイレ空間内が混んでいることが検知された場合、制御装置４００は、使用者をリラックス状態または覚醒状態に導くための各制御の実行期間を短縮したり、各制御を実行することを禁止（＝制御の実行期間をゼロに短縮）したりできるようになる。これによって、トイレ空間本来の使用目的である排泄を行いたい使用者による個室空間の利用に支障をきたすことを防止できる。このために、混雑検知装置５００は、例えば、カメラやドアセンサ、人体検知センサ、着座検知センサなどを用いることができる。
【００３６】
ドアセンサとしては、例えば、個室空間のドアにマグネットセンサや変位センサ、振動センサなどの検出手段を用いることができる。これによって、他の個室空間におけるドアの開閉状態を検知し、使用者の有無から混雑状況を推測できる。
また、人体検知センサとしては、例えば、赤外線ラインセンサやマイクロ波センサなどの検出手段を用いることができる。これによって、個室空間の出入口付近に滞在している使用者の有無を検知し、個室空間を使用したい使用者の有無から混雑状況を検知できる。
また、着座検知センサとしては、例えば、歪みセンサや圧力センサ、赤外線センサなどの検知手段を用いることができる。これによって、他の個室空間における使用者の着座状態を検知し、使用者の有無から混雑状況を推測できる。
【００３７】
報知装置６００は、使用者をリラックス状態または覚醒状態に導くための各制御が実行された際に、個室空間内の人に当該制御時間の残り時間を報知したり、個室空間の外の共有空間で個室空間の使用を待つ人に当該制御の実行状態を報知したりするものである。報知装置６００にはLCD（液晶表示装置）やOLED（有機ELディスプレイ）等の表示装置や、光の色や配置、点滅周期等を変化させることができるLED等の照明装置を用いることができ、個室空間内や共有空間内の壁面などに配置される。当該制御が実行されると、制御装置４００は報知装置６００に当該制御にかかる情報を送信し、報知装置６００はこれを表示させる。報知装置６００には、例えば当該制御の実行の有無や当該制御の終了までの残り時間等があげられる。
【００３８】
図２は、本発明の実施形態に係るトイレ空間の環境制御システムにおいて、制御装置が実行する制御の概念図を模式的に示した図である。以下、図２を参照しつつ、本発明の制御装置が実行する３つの制御パターンについて説明する。
【００３９】
（第１の制御パターン：リラックス制御）
第１の制御パターンは、リラックス制御４２０である。リラックス制御４２０は、照明装置２００による照明リラックス制御４２２と、映像出力装置３００による映像リラックス制御４２４と、照明リラックス制御４２２及び映像リラックス制御４２４を実行する期間を重複させる複合リラックス制御４２６とを備える。
【００４０】
リラックス制御４２０は、使用者の疲労感を低下させることを目的とした制御であり、照明リラックス制御４２２、映像リラックス制御４２４または複合リラックス制御４２６を実行することで、使用者の生体を鎮静化させることが可能となる。
【００４１】
照明リラックス制御４２２は、照明装置２００の照度を低照度に変更したり、色温度を暖色系などの低い色温度に変更したりすることで、個室空間内の照度または色温度を低下させ、個室空間内の使用者に与える視覚刺激を低下させる制御である。これによって、人の精神状態を副交感神経が優位なリラックス側へ導き生体を鎮静化させる。
【００４２】
映像リラックス制御４２４は、アルファ波減衰試験（Alpha Attenuation Test：AAT）を行った際に、アルファ波の出現量が少なく、アルファ波の減衰が顕著に表れなかった映像（第１の映像）を映像出力装置３００に出力させる制御である。これによって、人の精神状態を副交感神経が優位なリラックス側へ推移させる。
【００４３】
なお、アルファ波減衰試験とは、閉眼安静時のアルファ波出現量と、開眼時のアルファ波の減衰が、生体の活性度に対応して変動する特性を利用し、安静状態で閉眼と開眼を反復することによって生じるアルファ波の出現量、及び、アルファ波の減衰から生体の活性度を数値指標化する評価手法である。
【００４４】
この試験を行った結果、映像リラックス制御４２４において出力する映像として適した映像とは、例えば、自然の森の映像のように、色温度が低く、動きが無い又は動きが殆ど無いことから視覚刺激の少ない映像や、平均的な人に安らぎや平穏といったものを想起させることで生体をリラックス側へ導く精神生理的反応を引き起こす映像であった。
【００４５】
複合リラックス制御４２６は、照明リラックス制御４２２及び映像リラックス制御４２４を実行する期間を重複させて行う制御である。これによって、照明装置２００と映像出力装置３００による複数の異なる視覚刺激が連動し、相乗効果を得ることが可能となる。そのため、複合リラックス制御４２６を実行することで、照明リラックス制御４２２または映像リラックス制御４２４を実行するときよりも短期間で使用者の生体を鎮静化させることが可能となる。
【００４６】
（第２の制御パターン：覚醒制御）
第２の制御パターンは、覚醒制御４４０である。覚醒制御４４０は、照明装置２００による照明覚醒制御４４２と、映像出力装置３００による映像覚醒制御４４４と、照明覚醒制御４４２及び映像覚醒制御４４４を実行する期間を重複させる複合覚醒制御４４６とを備える。
【００４７】
覚醒制御４４０は、使用者の集中力を高めることを目的とした制御であり、照明覚醒制御４４２、映像覚醒制御４４４または複合覚醒制御４４６を実行することで、使用者の生体を活性化させることが可能となる。
【００４８】
照明覚醒制御４４２は、照明装置２００の照度を高照度に変更したり、色温度を寒色系などの高い色温度に変更したりすることで、個室空間内の照度または色温度を上昇させ、照明装置２００の直接光による視覚刺激を上昇させる制御である。これによって、人の精神状態を交感神経が優位な覚醒側へ導き生体を活性化させる。例えば、所定期間任意の映像を見せた後にこの試験を実施して生体の活性度を判定することで、映像リラックス制御に適した映像を選定することができる。
【００４９】
映像覚醒制御４４４は、アルファ波減衰試験（Alpha Attenuation Test：AAT）を行った際に、アルファ波の出現量が多く、アルファ波の減衰が顕著に表れた映像（第２の映像）を映像出力装置３００に出力させる制御である。これによって、人の精神状態を交感神経が優位な覚醒側へ推移させる。
【００５０】
この試験を行った結果、映像覚醒制御４４４において出力する映像として適した映像とは、例えば、自然の海の映像の様に、色温度が高く、映像に動きがあることから視覚刺激の多い映像や、平均的な人に緊張や不安、あるいは好奇心や探求心といったものを想起させることで生体を覚醒側へ導く精神生理的反応を引き起こす映像であった。
【００５１】
複合覚醒制御４４６は、照明覚醒制御４４２及び映像覚醒制御４４４を実行する期間を重複させて行う制御である。これによって、照明装置２００と映像出力装置３００による複数の異なる視覚刺激が連動し、相乗効果を得ることが可能となる。そのため、複合覚醒制御４４６を実行することで、照明覚醒制御４４２または映像覚醒制御４４４を実行するときよりも短時間で使用者の生体を活性化させることが可能となる。
【００５２】
（第３の制御パターン：リフレッシュ制御）
第３の制御パターンは、リフレッシュ制御４６０である。リフレッシュ制御４６０は、上述したリラックス制御４２０を実行した直後に、同じく上述した覚醒制御４４０を実行する制御である。
【００５３】
図３は、本発明の実施形態に係るトイレ空間の環境制御システムにおいて、制御装置が実行する制御の一例を示すフローチャートである。以下、図３を参照しつつ、本発明の実施形態にかかるトイレ空間の環境制御システムにおける制御フローを説明する。
【００５４】
ステップS３０１において、使用者による個室空間内への入室、または、使用者による個室空間内の大便器の着座部に着座を検知する。これによって個室空間内に使用者が存在することが検知されたとき、次のステップS３０２に移行する。なお、個室空間内への入室の有無は、ドアセンサや人体検知センサによって検知することができる。また、大便器の着座部への着座の有無は、着座検知センサによって検知することができる。
【００５５】
ステップS３０２において、混雑検知装置５００によって個室空間外の混雑状況が検知された場合（ステップS３０２、Yes）、制御装置４００は使用者をリラックス状態または覚醒状態に導くための制御モードを実行することを禁止する。このとき、報知装置６００を用いて個室空間内の使用者に個室空間外が混雑していることを報知してもよい。
【００５６】
その一方で、ステップS３０２において、混雑検知装置５００によって、個室空間外の混雑状況が検知されなかった場合（ステップS３０２、No）、次のステップS３０３に移行し、制御装置４００は、使用者をリラックス状態または覚醒状態に導くための制御モードを選択することを許可する。なお、ステップS３０３における制御モードの選択は、使用者によって入力された制御を実行する手動操作であっても、着座検知などを起点に、予めプログラムされた制御を実行する自動操作であっても良い。あるいは時間帯等の所定条件に応じて対応する制御モードが自動的に決定されるものであっても良い。
【００５７】
制御装置４００は、ステップS３０３において選択された制御に関する情報を送信し、報知装置６００は、個室空間内部、及び個室空間外部に対して、選択された制御に関する情報を報知する（ステップS３０４）。
【００５８】
ステップS３０３において選択された制御がリラックス制御４２０であった場合、制御装置４００はリラックス制御４２０を実行する（ステップS３０５〜ステップS３１１）。
なお、リラックス制御４２０において、制御装置４２０が照明装置２００及び映像出力装置３００を制御することで実行する、照明リラックス制御４２２および映像リラックス制御４２４の制御フローについては、図４で後述する。
【００５９】
また、ステップS３０３において選択された制御が覚醒制御４４０であった場合、制御装置４００は覚醒制御４４０を実行する（ステップS３１２〜ステップS３１８）。
なお、覚醒制御４４０において、制御装置４２０が照明装置２００及び映像出力装置３００を制御することで実行する、照明覚醒制御４４２および映像覚醒制御４４４の制御フローについては、図５で後述する。
【００６０】
リラックス制御４２０または覚醒制御４４０を実行中に、混雑検知装置５００によって、個室空間外の混雑状況が検知された場合（ステップS３０６またはステップS３１３、Yes）、制御装置４００は、リラックス制御４２０または覚醒制御４４０の実行期間を短縮するよう制御する（ステップS３０７またはステップS３１４）。
【００６１】
また、リラックス制御４２０または覚醒制御４４０を実行中に、使用者による停止ボタンへの入力操作が検知された場合（ステップS３０８またはステップS３１５、Yes）、制御装置４００は、リラックス制御４２０または覚醒制御４４０の実行を強制終了する（ステップS３１１またはステップS３１８）。
【００６２】
また、リラックス制御４２０または覚醒制御４４０を実行中に、着座部からの離座が所定時間検知された場合（ステップS３０９またはステップS３１６、Yes）、制御装置４００は、リラックス制御４２０または覚醒制御４４０の実行を強制終了する（ステップS３１１またはステップS３１８）。着座検知センサを用いた使用者による着座部への検知は、使用者が姿勢を変えること等によって１秒程度の時間に亘って離座と検知されてしまうことがある。そのため、所定時間とは、例えば５秒程度の時間を設定することが好ましい。
【００６３】
リラックス制御４２０または覚醒制御４４０を実行してから所定時間経過していない場合、（ステップS３１０またはステップS３１７、No）、制御装置４００は、リラックス制御４２０または覚醒制御４４０を実行し続ける。
【００６４】
ステップS３０３において選択された制御がリフレッシュ制御４６０であった場合、制御装置４００はリフレッシュ制御４６０を実行する（ステップS３１９〜ステップS３２４）。リフレッシュ制御４６０は、前述したように、リラックス制御４２０を実行した後（ステップS３２１〜ステップS３２１）、覚醒制御４４０を実行する（ステップS３２２〜ステップS３２３）。
【００６５】
そして、制御装置４００は、リラックス制御４２０、覚醒制御４４０またはリフレッシュ制御４６０の実行を終了すると同時に（ステップS３１１、ステップS３１８またはステップS３２４）、報知装置６００による個室空間内、及び個室空間外部に対する報知を終了する。（ステップS３２５）。
なお、図３では図示しないが、使用者による停止ボタンの操作や誤作動等によって制御が強制終了された場合、再度制御モードの選択を行うようにステップS３０３に戻るように設定してもよい。この場合には、あらたに選択された制御に対応して個室内部または個室外部への報知が実行される（S３０４）。
【００６６】
最後に、使用者による個室空間からの退室が検知されることで、使用者による一回の個室空間の利用に伴う、制御装置４００による制御が終了する（ステップS３２６）。
【００６７】
図４は、本発明の実施形態に係るトイレ空間の環境制御システムにおいて、制御装置が実行するリラックス制御の一例を示すフローチャートである。
図５は、本発明の実施形態に係るトイレ空間の環境制御システムにおいて、制御装置が実行する覚醒制御の一例を示すフローチャートである。
以下、図４および図５を参照しつつ、本発明の実施形態にかかるトイレ空間の環境制御システムにおけるリラックス制御および覚醒制御の制御フローを説明する。
【００６８】
入力操作または自動操作によって、リラックス制御４２０または覚醒制御４４０を実行することが選択されたとき（ステップS４０１またはステップS５０１）、制御装置４００は、選択された制御に対応する制御指示を照明装置２００に送信し、照明リラックス制御４２２または照明覚醒制御４４２を実行する（ステップS４０２またはステップS５０２）。
【００６９】
そして、照明装置２００によって変更された個室空間内の照度または色温度が、選択された制御において予め規定された所定の照度または色温度に至った場合（ステップS４０３またはステップS５０３、Yes）、制御装置４００は、ステップS４０１またはステップS５０１において選択された制御に対応する制御指示を映像出力装置３００に送信し、映像リラックス制御４２４または映像覚醒制御４４４を実行する（ステップS４０４またはステップS５０４）。
【００７０】
その後、制御装置４００は、所定期間に亘って、照明装置２００と映像出力装置３００とによる、照明リラックス制御４２２と映像リラックス制御４２４とを実行する期間を重複させる複合リラックス制御４２６、または、照明覚醒制御４４２と映像覚醒制御４４４とを実行する期間を重複させる複合覚醒制御４４６を実行する（ステップS４０５またはステップS５０５）。
【００７１】
そして、複合リラックス制御４２６または複合覚醒制御４４６を実行してから所定時間経過した場合（ステップS４０５またはステップS５０５、Yes）、制御装置４００は、映像出力装置３００に停止指示を送信し、映像リラックス制御４２２または映像覚醒制御４４２を停止する（ステップS４０６またはステップS５０６）。
【００７２】
さらに、制御装置４００は、照明装置３００にも停止指示を送信し、照明リラックス制御４２２または照明覚醒制御４４２を停止する（ステップS４０７またはステップS５０７）。これにより、制御装置４００は、リラックス制御４２０または覚醒制御４４０を終了する（ステップS４０８またはステップS５０８）。
【００７３】
図６、図７、図８は、本発明の実施形態に係るトイレ空間の環境制御システムにおいて、制御装置が実行するリラックス制御、覚醒制御、リフレッシュ制御のタイムチャートの一例を示す図である。
以下、図６〜図８を参照しつつ、本発明の実施形態にかかるトイレ空間の空間制御システムにおけるリラックス制御、覚醒制御、リフレッシュ制御のタイムチャートを説明する。
【００７４】
始めに、図６を用いてリラックス制御４２０のタイムチャートについて説明する。
【００７５】
使用者によるトイレ空間への入室が検知されたとき、または、使用者がトイレ空間の照明をOFFからONにする入力操作を行ったとき、個室空間に設けられた照明装置２００は平常時の照度及び色温度で点灯する（ｔ０）。このときの平常時の個室空間内の照度及び色温度は、例えば、１６０Lx（ルクス）および色温度４０００K（ケルビン）である。
【００７６】
次に、自動操作または手動操作に基づいてリラックス制御４２０の実行を開始するとき、制御装置４００は、照明装置２００の照度または色温度を制御し、個室空間内の照度または色温度を低下させる照明リラックス制御４２２の実行を開始する（ｔ１）。このとき、照明装置２００によって低下された個室空間内の照度及び色温度は、例えば、６０Lxおよび色温度２７００Kである。
【００７７】
そして、照明リラックス制御４２２の実行期間が予めプログラムされた所定期間を経過したとき、又は照明リラックス制御４２２によって低下された個室空間内の照度または色温度が予めプログラムされた照度または色温度に至ったとき、制御装置４００は、映像出力装置３００を制御し、暖色系などの低い色温度の映像や、人に安らぎや平穏といった精神生理的反応を引き起こす効果がある映像を出力する映像リラックス制御４２４を開始する（ｔ２）。このとき、映像出力装置３００が出力する映像は、例えば、森の映像などである。
【００７８】
その後、制御装置４００は、予めプログラムされた所定期間にわたって、照明リラックス制御４２２及び映像リラックス制御４２４を実行する期間を重複させて行う複合リラックス制御４２６を実行する（ｔ２〜ｔ３）。この期間においては、照明装置２００と映像出力装置３００による複数の異なる視覚刺激が連動するため、相乗効果を得ることが可能となる。そのため、照明リラックス制御４２２または映像リラックス制御４２４を実行している期間よりも使用者の生体を効果的に鎮静化させることが可能となる。このとき、複合リラックス制御４２６は、例えば、５分間にわたって実行される。
【００７９】
なお、照明リラックス制御４２２が実行された直後（ｔ１〜ｔ２）は、制御装置４００が照明装置２００の照度または色温度を変更している期間中であるため、個室空間内の視覚刺激は一定に保たれていない。このとき、映像出力装置３００を制御して映像リラックス制御４２４の実行を開始したとしても、使用者は照明装置２００によって個室空間内の照度または色温度が変更されていることに気を取られてしまい、照明と映像による相乗効果を得ることができないおそれがある。そのため、複合リラックス制御４２６は、個室空間内の照度または色温度が一定に保たれている期間（ｔ２〜ｔ３）に実行することが好ましい。
【００８０】
そして、予めプログラムされた所定期間経過後、制御装置４００は、照明装置２００及び映像出力装置３００に対して各制御の停止指示を送信する（ｔ３）。その後、個室空間内の照度または色温度が、平常時の照度または色温度に至ることで、制御装置４００によるリラックス制御４２０は終了する（ｔ４）。
【００８１】
次に、図７を用いて覚醒制御４４０のタイムチャートについて説明する。なお、ｔ０の制御はリラックス制御４２０と同様の制御内容であるため、説明を省略する。
【００８２】
自動操作または手動操作に基づいて覚醒制御４４０の実行を開始するとき、制御装置４００は照明装置２００の照度または色温度を制御し、個室空間内の照度または色温度を上昇させる照明覚醒制御４４２の実行を開始する（ｔ１）。このとき、照明装置２００によって上昇された個室空間内の照度および色温度は、例えば、４００Lxおよび色温度４８００Kである。
【００８３】
そして、照明覚醒制御４４２の実行期間が予めプログラムされた所定期間を経過したとき、又は照明覚醒制御４４２によって上昇された個室空間内の照度または色温度が予めプログラムされた照度または色温度に至ったとき、制御装置４００は、映像出力装置３００を制御し、寒色系などの高い色温度の映像や、人に緊張や不安、あるいは好奇心や探求心といった精神生理的反応を引き起こす効果がある映像を出力する映像覚醒制御４４４を開始する（ｔ２）。このとき、映像出力装置３００が出力する映像は、例えば、海の映像などである。
【００８４】
その後、制御装置４００は、予めプログラムされた所定期間にわたって、照明覚醒制御４４２及び映像覚醒制御４４４を実行する期間を重複させて行う複合覚醒制御４４６を実行する（ｔ２〜ｔ３）。この期間においては、照明装置２００と映像出力装置３００による複数の異なる視覚刺激が連動するため、相乗効果を得ることが可能となる。そのため、照明覚醒制御４４２または映像覚醒制御４４４を実行している期間よりも使用者の生体を効果的に活性化させることが可能となる。このとき、複合覚醒制御４４６は、例えば、５分間にわたって実行される。
【００８５】
なお、照明覚醒制御４４２が実行された直後（ｔ１〜ｔ２）は、制御装置４００が照明装置２００の照度または色温度を変更している期間中であるため、個室空間内の視覚刺激は一定に保たれていない。このとき、映像出力装置３００を制御して映像覚醒制御４４４の実行を開始したとしても、使用者は照明装置２００によって個室空間内の照度または色温度が変更されていることに気を取られてしまい、照明と映像による相乗効果を得ることができないおそれがある。そのため、複合覚醒制御４４６は、照明装置２００の照度または色温度が一定に保たれている期間（ｔ２〜ｔ３）に実行することが好ましい。
【００８６】
そして、予めプログラムされた所定期間経過後、制御装置４００は、照明装置２００及び映像出力装置３００に対して各制御の停止指示を送信する（ｔ３）。その後、個室空間内の照度または色温度が、平常時の照度または色温度に至ることで、制御装置４００による覚醒制御４４０は終了する（ｔ４）。
【００８７】
最後に、図８を用いてリフレッシュ制御４６０のタイムチャートについて説明する。なお、ｔ０の制御はリラックス制御４２０および覚醒制御４４０と同様の制御内容であるため、説明を省略する。
【００８８】
自動操作または手動操作に基づいてリフレッシュ制御４６０の実行を開始するとき、制御装置４００は照明装置２００の照度または色温度を制御し、個室空間内の照度または色温度を低下させる照明リラックス制御４２２の実行を開始する（ｔ１）。このとき、照明装置２００によって低下された個室空間内の照度および色温度は、例えば、６０Lxおよび色温度２７００Kである。
【００８９】
なお、リフレッシュ制御４６０において、照明リラックス制御４２２を実行する場合、個室空間内の照度をゼロにまで低下させないことが好ましい。個室空間内の照度をゼロに近づけるほど視覚刺激が少なくなることにより生体を鎮静化させる効果を高めることができるが、その一方で使用者の睡眠欲求を高めてしまう。すると、リラックス制御４２０を実行した直後に覚醒制御４４０を実行したとしても、使用者を再び集中して作業を行うことが可能な覚醒状態にするまでに必要とする期間を短縮できないという課題が生じるためである。
【００９０】
そして、照明リラックス制御４２２の実行期間が予めプログラムされた所定期間を経過したとき、又は照明リラックス制御４２２によって低下された個室空間内の照度または色温度が予めプログラムされた照度または色温度に至ったとき、制御装置４００は、映像出力装置３００を制御し、暖色系などの低い色温度の映像や、人に安らぎや平穏といった精神生理的反応を引き起こす効果がある映像を出力する映像リラックス制御４２４を開始する（ｔ２）。このとき、映像出力装置３００が出力する映像は、例えば、森の映像などである。
【００９１】
その後、制御装置４００は、予めプログラムされた所定期間にわたって、照明リラックス制御４２２及び映像リラックス制御４２４を実行する期間を重複させて行う複合リラックス制御４２６を実行する（ｔ２〜ｔ３）。このとき、複合リラックス制御４２６は、例えば、３．５分間にわたって実行される。
【００９２】
そして、複合リラックス制御４２６を実行してから所定期間経過後、制御装置４００は、映像出力装置３００に対して映像リラックス制御４２４の停止指示を送信する（ｔ３）。同時に、制御装置４００は照明装置２００の照度または色温度を制御し、個室空間内の照度または色温度を上昇させる照明覚醒制御４４２の実行を開始する。
【００９３】
なお、リフレッシュ制御４６０において、照明リラックス制御４２２の実行期間中に、映像覚醒制御４４４を実行してしまうと、個室空間内の照度と映像出力装置３００が出力する映像の照度との照度差が大きくなることにより、使用者が強すぎる視覚刺激を受けてしまうおそれがある。そのため、制御装置４００は、照明リラックス制御４２２の実行期間中においては、映像覚醒制御４４４を実行しないように制御することが好ましい。
【００９４】
そして、照明覚醒制御４４２の実行期間が予めプログラムされた所定期間を経過したとき、又は照明覚醒制御４４２によって上昇された個室空間内の照度または色温度が予めプログラムされた照度または色温度に至ったとき、制御装置４００は、映像出力装置３００を制御し、寒色系などの高い色温度の映像や、人に緊張や不安、あるいは好奇心や探求心といった精神生理的反応を引き起こす効果がある映像を出力する映像覚醒制御４４４を開始する（ｔ４）。このとき、照明装置２００によって上昇された個室空間内の照度及び色温度は、例えば、４００Lxおよび色温度４８００Kであり、映像出力装置３００が出力する映像は、例えば、海の映像などである。
【００９５】
なお、リフレッシュ制御４６０において、照明覚醒制御４４２を実行する場合、照明覚醒制御４４２を実行しているときの個室空間内の照度を、リフレッシュ制御４６０を実行する前の平常時の個室空間内の照度よりも大きくなるように制御することが好ましい。つまり、平常時の個室空間の照度＜照明覚醒制御４４２時の個室空間の照度にすることが好ましい。これによって、一度鎮静化させた使用者の生体を活性化させ、短期間で再び集中して作業を行うことが可能な覚醒状態にすることができる。
【００９６】
さらに言えば、リフレッシュ制御４６０において、照明リラックス制御４２２と照明覚醒制御４４２を実行する場合、リフレッシュ制御４６０を実行する前の平常時の個室空間内の照度と照明リラックス制御４２２を実行しているときの個室空間内の照度との差である第１の照度差よりも、リフレッシュ制御４６０を実行する前の平常時の個室空間内の照度と照明覚醒制御４４４を実行しているときの個室空間内の照度との差である第２の照度差の方が大きくなるように制御することが好ましい。つまり、第１の照度差（平常時の個室空間の照度−照明リラックス制御４２２時の個室空間内の照度）＜第２の照度差（照明覚醒制御４４２時の個室空間内の照度−平常時の個室空間内の照度）にすることが好ましい。これによって、一度鎮静化させた使用者の生体を活性化させ、短期間で再び集中して作業を行うことが可能な覚醒状態にすることができる。
【００９７】
その後、制御装置４００は、予めプログラムされた所定期間にわたって、照明覚醒制御４４２及び映像覚醒制御４４４を実行する期間を重複させて行う複合覚醒制御４４６を実行する（ｔ４〜ｔ５）。このとき、複合覚醒制御４４６は、例えば、１．５分間にわたって実行される。
【００９８】
なお、リフレッシュ制御４６０における複合覚醒制御４４６の実行期間は、リフレッシュ制御４６０を実行する前の平常時の個室空間内の照度と照明リラックス制御４２２を実行しているときの個室空間内の照度との差である第１の照度差に、照明リラックス制御４２２を実行している期間を乗算した結果であるリラックス刺激値よりも、照明リラックス制御４２２を実行している時の個室空間内の照度と照明覚醒制御４４４を実行しているときの照度との差である第３の照度差に、照明覚醒制御４４２を実行している期間を乗算した結果である覚醒刺激値の方が大きくなるように制御することが好ましい。つまり、リラックス刺激値（第１の照度差×照明リラックス制御４２２の実行期間）＜覚醒刺激値（第３の照度差×照明覚醒制御４４２の実行期間）にすることが好ましい。これによって、一度鎮静化させた使用者の生体を活性化させ、短期間で再び集中して作業を行うことが可能な覚醒状態にすることができる。
【００９９】
さらに言えば、リフレッシュ制御４６０において、複合覚醒制御４４６の実行期間の長さが、複合リラックス制御４２６の実行期間以下の長さになるように制御することが好ましい。つまり、複合リラックス制御４４６の実行期間≧複合覚醒制御の実行期間とすることが好ましい。
【０１００】
生体を活性化する効果のある覚醒制御４４０は、使用者に対する視覚刺激を大きくする制御であるため生体が即座に反応するのに対して、生体を鎮静化させる効果のあるリラックス制御４２０は生体が緩慢に反応する。そのため、比較的長い期間を必要とするリラックス制御４２０にかける期間を長くすることで、使用者の生体を短期間且つ効果的に鎮静化させた後、リラックス刺激値＜覚醒刺激値となるように使用者に視覚刺激を与えることで、短期間で再び集中して作業を行うことが可能な覚醒状態にすることができる。
【０１０１】
そして、予めプログラムされた所定期間経過後、制御装置４００は、照明装置２００及び映像出力装置３００に対して各制御の停止指示を送信する（ｔ５）。その後、個室空間内の照度または色温度が、平常時の照度または色温度に至ることで、制御装置４００によるリフレッシュ制御４６０は終了する（ｔ６）。
【０１０２】
図９は、本発明に係るトイレ空間の環境制御システムの実証試験において、制御装置が実行する各制御に対する被験者の生理測定の結果を示した図である。以下、図９を参照しつつ、実証試験の結果を説明する。
【０１０３】
本件発明者らは、上述したリラックス制御４２０や覚醒制御４４０、リフレッシュ制御４６０による効果を検証するために、脈波に基づく生理測定を行った。
【０１０４】
本件発明者らは、実証試験の環境として、大便器と照明装置２００を設置した個室を用意した。被験者には試験中、大便器に座った状態のまま、できるだけ身体を動かさないように指示した。そして、被験者の指先に、BRCバイオリサーチセンター株式会社製の脈波測定器具TN１０１２／STを付けることで脈波を計測した。
【０１０５】
脈波に基づく生理測定は、計測した脈波を低周波成分（LF）と高周波成分（HF）に分け、LFの割合が高いほど交感神経優位で覚醒状態になっている、HFの割合が高いほど副交感神経優位でリラックス状態になっているとした。
【０１０６】
個室空間内の照度および色温度は、大便器の着座部に着座したときの被験者の目の位置（着座部の中央の鉛直上方向であり、且つ、個室空間の床面より１１００ｍｍの高さ位置）、膝上の位置（着座部の先端部の鉛直上方向であり、且つ、個室空間の床面より５００ｍｍの高さ位置）、大便器の正面に設けられる個室空間の壁面（扉）の下方に存在する床面の角部の位置、及び映像出力装置３００によって出力される映像の中央部の位置の４か所の平均値とした。
なお、照度および色温度はコニカミノルタ株式会社製の分光放射照度計CL−５００Aを用いて計測した。
【０１０７】
実証試験では、初めに、被験者にオフィスで働いている時と同様の精神状態を再現してもらうために、個室空間の外部にてオフィスを模した音声付きの動画を出力すると共に、所定数から二桁の数を引き続ける算術問題に５分間、口頭で回答することを課した。このとき、被験者には、扉を開けることで開空間とした個室空間の内部からその音声付きの動画を見てもらった。なお、このときの個室空間内の照度および色温度は、平常時の個室空間内の照度および色温度を模して１６０Lxおよび色温度３４００Kとした。
【０１０８】
次に、オフィスを模した音声付きの動画の出力を停止すると共に、扉を閉めることで個室空間を閉空間とした。なお、このときの個室空間内の照度および色温度は、１６０Lxおよび色温度３４００Kのままとした。
【０１０９】
その後に引き続き行う実証試験において、照明リラックス制御４２２を実行したことによる使用者の精神状態を再現するときは、照明装置２００を制御し個室空間内の照度を６０Lx、色温度を２７００Kまで低下させた。そして、映像リラックス制御４２４を実行したことによる使用者の精神状態を再現するときは、映像出力装置３００を制御し個室空間内に森の映像を出力した。
【０１１０】
また、照明覚醒制御４４２を実行したことによる使用者の精神状態を再現する時は、照明装置２００を制御し個室空間内の照度を４００Lx、色温度を４８００Kまで上昇させた。そして、映像覚醒制御４４４を実行したことによる使用者の精神状態を再現するときは、映像出力装置３００を制御し個室空間内に海の映像を出力した。
【０１１１】
各制御による実証実験の評価条件は３条件とし、全ての評価条件においてリラックス制御４２０及び覚醒制御４４０の実行期間を５分間とした。評価を行った３条件の詳細は以下の通りである。
評価条件１では、リラックス制御４２０において照明リラックス制御４２２のみを実行し、覚醒制御４４０において照明覚醒制御４４２のみを実行した。
評価条件２では、リラックス制御４２０において映像リラックス制御４２４のみを実行し、覚醒制御４４０において映像覚醒制御４４４のみを実行した。
評価条件３では、リラックス制御４２０において複合リラックス制御４２６を実行し、覚醒制御４４０において複合覚醒制御４４６を実行した。
【０１１２】
図９に示した、初期条件の値は、リフレッシュ制御４６０を実行する直前２．５分間の測定値であり、実証試験後の値は、リラックス制御４２０及び覚醒制御４４０における後半２．５分間の測定値である。
【０１１３】
評価条件１において、被験者は、初期条件からリラックス制御４２０間の変化はリラックス側へ推移したが、リラックス制御４２０から覚醒制御４４０間の変化は覚醒側へ微弱に推移していた。
つまり、被験者は、照明装置２００のみによる照明リラックス制御４２２では、狙っている精神状態へと推移したが、照明装置２００のみによる照明覚醒制御４４２では、狙っている精神状態への推移は微弱であることが確認された。
【０１１４】
評価条件２において、被験者は、初期条件からリラックス制御４２０間の変化は覚醒側へ推移し、リラックス制御４２０から覚醒制御４４０間の変化は覚醒側へ推移していた。
つまり、被験者は、映像出力装置３００のみによる映像リラックス制御４２４では、狙っている精神状態と相反する精神状態へと推移したが、映像出力装置３００のみによる映像覚醒制御４４４では、狙っている精神状態へと推移することが確認された。
【０１１５】
評価条件３において、被験者は、初期条件からリラックス制御４２０間の変化はリラックス側へ推移し、リラックス制御４２０から覚醒制御４４０間の変化は覚醒側へ推移していた。
つまり、被験者は、照明装置２００及び映像出力装置３００による複合リラックス制御４２６及び複合覚醒制御では、狙っている精神状態へと推移することが確認された。
【０１１６】
以上の実証実験の結果から、本件発明者らは、照明装置２００のみによる制御を実行するトイレ空間の環境制御システム、または映像出力装置３００のみによる各制御を実行するトイレ空間内の環境制御システムでは、人の精神状態を狙い通りに推移させる効果が薄いことを確認できた。そして、照明装置２００及び映像出力装置３００による制御を同時に実行する複合リラックス制御４２６、複合覚醒制御４４６であれば、人の精神状態を狙い通りに推移させる効果が高まることを確認できた。
【符号の説明】
【０１１７】
１００・・・トイレ空間の環境制御システム
２００・・・照明装置
３００・・・映像出力装置
４００・・・制御装置
４２０・・・リラックス制御
４２２・・・照明リラックス制御
４２４・・・映像リラックス制御
４２６・・・複合リラックス制御
４４０・・・覚醒制御
４４２・・・照明覚醒制御
４４４・・・映像覚醒制御
４４６・・・複合覚醒制御
４６０・・・リフレッシュ制御
５００・・・混雑検知装置
６００・・・報知装置
【図１】
2020049145.tif 000003
【図２】
2020049145.tif 000004
【図３】
2020049145.tif 000005
【図４】
2020049145.tif 000006
【図５】
2020049145.tif 000007
【図６】
2020049145.tif 000008
【図７】
2020049145.tif 000009
【図８】
2020049145.tif 000010
【図９】
2020049145.tif 000011